(57)【要約】【課題】荷箱前方における堆肥のブリッジの形成を防止できるようにするとともに、走行輪の左右幅を小さくして狭い農場での走行時における操作性を向上させるようにした堆肥散布機を提供する。【解決手段】堆肥７を収容する荷箱２と、当該荷箱２に投入された堆肥７を後方へと搬送させる床コンベア３と、当該床コンベア３によって搬送された堆肥７を圃場に散布させる散布部４とを設けてなる堆肥散布機１において、前記荷箱２における前方部分の内側側壁を起立させた起立側壁２１と、前記荷箱２における後方部分の内側側壁を上方に向けて拡開させた傾斜側壁２２とを設ける。そして、前方における起立側壁２１の大きさを後方側よりも大きくして自重で堆肥７を床コンベア３上に落下できるようにするとともに、その起立側壁２１の上側の縁部２１ｕから傾斜側壁２２を設け、その傾斜側壁２２を上側に向けて拡開させて堆肥７の積載量を大きくできるようにする。【選択図】図１
2014082973.tif 000002
【特許請求の範囲】
【請求項１】
堆肥を収容する荷箱と、当該荷箱に投入された堆肥を後方へと搬送させる床コンベアと、当該床コンベアによって搬送された堆肥を圃場に散布させる散布部とを設けてなる堆肥散布機において、
前記荷箱の前方部分における内側側壁を起立させた起立側壁と、
前記荷箱の後方部分における内側側壁を上方に向けて拡開させた傾斜側壁とを備え、
前記起立側壁を後方側よりも先方側を大きくするとともに、前記傾斜側壁を前方部分よりも後方側を大きくしたことを特徴とする堆肥散布機。
【請求項２】
前記荷箱の起立する起立側壁を前後方向にわたって平行に設けるとともに、当該起立側壁の上端から上方に拡開する傾斜側壁を設けるようにした請求項１に記載の堆肥散布機。
【請求項３】
前記荷箱における中央よりも後方であって、前記傾斜側壁の両外側に走行輪を配置させた請求項１に記載の堆肥散布機。
【発明の詳細な説明】
【技術分野】
【０００１】
本発明は、荷箱に投入された堆肥を圃場に向けて散布できるようにした堆肥散布機に関するものであり、より詳しくは、狭い農場での走行時における操作性を向上させるとともに、実質的に散布できる堆肥の積載量を大きくできるようにした堆肥散布機に関するものである。
【背景技術】
【０００２】
従来の一般的な堆肥散布機の構造について図５に説明する。
【０００３】
図５において、符号８０は堆肥を入れるボックス状の荷箱であり、符号８１は、その下方に設けられた床コンベアである。この床コンベア８１は、前後のスプロケットを回転させて、その上に投入された堆肥を後方に向けて搬送できるように構成されている。また、符号８２は、床コンベア８１によって後方に搬送された堆肥を圃場に向けて散布する散布部である。なお、図５おいては、水平なバーに設けられた散布羽根を回転させて散布する構造を図示しているが、荷箱８０方から堆肥を落下させて、回転円板上に起立する散布羽根に当てて散布させるような機構なども用いることがきる。そして、このような堆肥散布機を用いて堆肥を散布する場合、荷箱８０に堆肥を投入するとともに、トラクターなどの牽引車に牽引させ、床コンベア８１によって後方へ搬送させた堆肥を圃場に散布させる。
【０００４】
ところで、このような堆肥散布機において、堆肥の積載量を大きくしようとすると、荷箱における左右方向の幅が大きくなり、これに伴って、走行輪８４の左右にはみ出てしまい（図５の走行輪の状態）、走行時における操作性が悪くなってしまう。
【０００５】
そこで、下記の特許文献１には、図６に示すように、荷箱８０の下方側における左右幅を小さくして走行輪８４の幅を小さくするとともに、そこから荷箱８０を上方側に向けてテーパー状に拡開させた傾斜壁面８３を設け、これによって、堆肥の積載量を大きくできるようにしたものが提案されている。このような堆肥散布機を用いれば、狭い農場での走行時における操作性を向上させることができるとともに、可能な限り堆肥の積載量を大きくすることができるというメリットがある。
【先行技術文献】
【特許文献】
【０００６】
【特許文献１】意匠登録第１３７１１６１号公報
【発明の概要】
【発明が解決しようとする課題】
【０００７】
しかしながら、このような堆肥散布機においても、次のような問題を有する。
【０００８】
すなわち、このように堆肥散布機を用いて堆肥を散布させる場合、床コンベアに接する堆肥については強制的に後方へと搬送させることができるとともに、また、荷箱の後方に位置する堆肥についても、前方からの堆肥の流れや、散布部による回転によって強制的に後方へと散布させることができる。しかしながら、荷箱の中央から前方部分であって床コンベアに接しない上方の堆肥については、強制的に後方に搬送させる手段がない。しかも、この部分については、左右両側壁が傾斜しているため、堆肥の粘性によって下方へ落下しにくくなってしまい、図７に示すようなブリッジ７０を形成して、実質的にその堆肥を散布させることができなくなる。
【０００９】
そこで、本発明は上記課題を解決するために、荷箱前方における堆肥のブリッジの形成を防止できるようにするとともに、走行輪の左右幅を小さくして狭い農場での走行時における操作性を向上させるようにした堆肥散布機を提供することを目的とするものである。
【課題を解決するための手段】
【００１０】
すなわち、本発明は上記課題を解決するために、堆肥を収容する荷箱と、当該荷箱に投入された堆肥を後方へと搬送させる床コンベアと、当該床コンベアによって搬送された堆肥を圃場に散布させる散布部とを設けてなる堆肥散布機において、前記荷箱の前方部分における内側側壁を起立させた起立側壁と、前記荷箱の後方部分における内側側壁を上方に向けて拡開させた傾斜側壁とを備え、前記起立側壁を後方側よりも先方側を大きくするとともに、前記傾斜側壁を前方部分よりも後方側を大きくしたものである。
【００１１】
このように構成すれば、床コンベアで強制的に搬送させることができない中央から前方上方部分の堆肥を起立側壁に沿って落下させることができ、ブリッジの形成を防止して、前方から押し出される堆肥によって、すべての堆肥を後方へと搬送させることができるようになる。
【００１２】
また、このような発明において、起立側壁を前後方向にわたって平行に設けるとともに、当該起立側壁の上端の縁部から上方に拡開する傾斜側壁を設けるようにする。
【００１３】
このように構成すれば、ボックス状の荷箱における起立側壁を前後方向に傾斜させ、その上端の縁部から傾斜側壁を設けるだけで、簡単に上述の形状を有する荷箱を作ることができる。
【００１４】
さらに、この荷箱における中央よりも後方であって、傾斜側壁の両外側に走行輪を配置させる。
【００１５】
このようにすれば、傾斜している側壁の下方に走行輪を配置させることで、走行輪の幅を小さくすることができ、狭い農場での走行時における操作性を向上させることができるようになる。また、その走行輪の上側に位置する傾斜側壁をタイヤカバーとして使用することができ、走行時における安全性も確保することができる。
【発明の効果】
【００１６】
本発明によれば、堆肥を収容する荷箱と、当該荷箱に投入された堆肥を後方へと搬送させる床コンベアと、当該床コンベアによって搬送された堆肥を圃場に散布させる散布部とを設けてなる堆肥散布機において、前記荷箱の前方部分における内側側壁を起立させた起立側壁と、前記荷箱の後方部分における内側側壁を上方に向けて拡開させた傾斜側壁とを備え、前記起立側壁を後方側よりも先方側を大きくするとともに、前記傾斜側壁を前方部分よりも後方側を大きくしたので、床コンベアで強制的に搬送させることができない中央から前方上方部分の堆肥を起立側壁に沿って落下させることができ、ブリッジの形成を防止して、前方から押し出される堆肥によって、すべての堆肥を後方へと搬送させることができるようになる。
【図面の簡単な説明】
【００１７】
【図１】本発明の一実施の形態における堆肥散布機の構造を示す外観斜視図
【図２】同形態における堆肥散布機の平面概略図
【図３】同形態における堆肥散布機の側面図
【図４】図３における荷箱の各端面を示す図
【図５】従来例における堆肥散布機を示す図
【図６】従来例における堆肥散布機を示す図
【図７】従来例における堆肥のブリッジ７０状態を示す図
【発明を実施するための形態】
【００１８】
以下、本発明の一実施の形態について図面を参照して説明する。
【００１９】
この実施の形態における堆肥散布機１は、トラクターなどの牽引車に牽引されるものであって、堆肥７（図７参照）を収容するボックス状の荷箱２と、この荷箱２に収容された堆肥７を搬送させる床コンベア３と、この床コンベア３によって搬送された堆肥７を圃場に向けて散布する散布部４とを備えて構成される。そして、特徴的に、その荷箱２を、図３や図４に示すように、前方の左右両側壁を起立させ、そこから後方に向けて、両側壁の内側幅を上方に向けて拡開させるようにしたものである。以下、本実施の形態における堆肥散布機１の構成について詳細に説明する。なお、説明においては、堆肥散布機１の進行方向を前方、堆肥７の散布方向を後方側として説明する。
【００２０】
この堆肥散布機１を構成する荷箱２は、左右側壁と床コンベア３によって囲まれた空間内に堆肥７を収容できるようにしたものであり、一方、その床コンベア３は、床板３１側方に設けられたチェーン３０を周回させて、左右のチェーン３０に張架されたコンベアバー３３で堆肥７を後方へと搬送させるように構成されている。この床コンベア３のチェーン３０は、牽引車からの駆動力を駆動源として、前端側に設けられた入力軸６１を介して伝導軸６２を回転させ、ギアボックス６３で回転方向を変換させて後方のスプロケット３２を回転させるようになっている。このように、後方のスプロケット３２を回転させると、前方のスプロケットとの間に掛け渡されたチェーン３０が周回し、その際、左右のチェーン３０に間欠的に張架されたコンベアバー３３を床板３１上で摺動させて、堆肥７を後方へと搬送させる。なお、ここで、床板３１上でコンベアバー３３を摺動させて堆肥７を後方へと搬送させるようにしているが、前後のスプロケット３２にベルトを掛け渡して堆肥７を後方に搬送させるようにしてもよい。
【００２１】
一方、散布部４は、後方に搬送された堆肥７を圃場に向けて散布できるように構成されるものであって、この実施の形態では、横型ビータで構成されている。この横型ビータは、図１や図２に示すように、牽引車からの駆動源を用いて水平方向に設けられた回転軸４１を回転させ、これによって、その回転軸４１の外周部分に設けられた拡散回転体４２を用いて堆肥７を圃場に散布させるようにしている。なお、ここでは、横型ビータを用いて堆肥７を散布させるようにしているが、縦型ビータを用いた構成なども用いることができる。
【００２２】
このような構成において、荷箱２は、図３や図４に示すように、相対的に前方の内側両側壁を起立させるとともに、そこから後方に向けて、徐々に内側側壁を上方に向けて拡開させるように構成される。なお、ここで「起立」とは、鉛直状に起立させる場合の他、後方側の傾斜側壁２２よりも起立するように傾斜させた場合も含むものである。このような「起立」における傾斜角としては、粘性を有する堆肥７が側壁に接した場合であっても、自重で起立側壁２１に沿って落ちるような角度にする。
【００２３】
このような荷箱２において、床コンベア３に接する側には、左右平行となるような状態であって、床コンベア３から略直角をなすように起立して設けられている。また、この起立側壁２１の上端側の縁部２１ｕについては、前方から後方側に向けてその高さが低くなるように傾斜させており、その上端側の縁部２１ｕから上方に向けて傾斜側壁２２を形成できるようにしている。
【００２４】
この傾斜側壁２２は、その縁部２１ｕから更に上方へ向かって左右幅を拡開させるように構成されており、これによって可能な限り堆肥７の積載量を大きくできるようにしている。この傾斜側壁２２における上縁部２２ｕについては、側面から見た場合において（図３）、水平となるように設けられており、また、上から見た平面視においては（図２）、前方から後方に向かって広がる台形状に構成されている。すなわち、平面視においては、起立側壁２１の縁部２１ｕから傾斜側壁２２を外側に向けて傾斜させているため、その傾斜側壁２２の傾斜角度に対応する分だけ後方側に広がるようになる。これにより、傾斜側壁２２の大きさ（高さ）は、前方が小さくなり、後方側が大きく（高く）なるようになる。なお、このように起立側壁２１の上に傾斜側壁２２を設ける場合、起立側壁２１の縁部２１ｕに溶着して取り付けるようにしてもよく、あるいは、一枚の金属板を屈曲させることによって起立側壁２１と一体的に設けるようにしてもよい。このとき、前者のように起立側壁２１に溶着させる場合は、既存の直方体状に構成された荷箱２を利用して傾斜側壁２２を形成することができるというメリットがあり、一方、後者のように一枚の金属板を屈曲させる場合は、その境界部分に溶着代が形成されないために、そこに堆肥７を滞留させてしまわないというメリットがある。
【００２５】
そして、このような構成において、荷箱２の中央より後方側であって荷箱２の側方に走行輪５が設けられる。この走行輪５は、左右幅の小さい起立側壁２１の両外側に設けられ、かつ、その上方を傾斜側壁２２が覆うように設けられる。そして、このように左右幅の小さな起立側壁２１の両外側に走行輪５を設けることによって、車幅を小さくして狭い農道での走行時における操作性をよくするとともに、その傾斜側壁２２をタイヤカバーとして用いることができるようにしている（図２参照）。
【００２６】
次に、このように構成された堆肥散布機１で堆肥７を散布させる場合についての作用を説明する。
【００２７】
まず、堆肥７を圃場に向けて散布する場合は、堆肥７を荷箱２に収容する。このとき、堆肥７は、床コンベア３上に載置された状態となり、また、後方の堆肥７については、傾斜側壁２２にも載置された状態となる。そして、その状態で堆肥散布機１を駆動させると、入力軸６１を介して伝導軸６２が回転し、ギアボックス６３で回転方向や回転数などを変化させて後方のスプロケット３２が回転する。すると、そのスプロケット３２に掛け渡されたチェーン３０およびコンベアバー３３が後方に向けて周回し、荷箱２に収容された堆肥７が後方に向けて搬送される。
【００２８】
また、これと同時に、入力軸６１を介して伝達された駆動力を用いて散布部４を駆動させ、上下平行に設けられた回転軸４１を同一方向に回転させて、その回転軸４１の外周に設けられた拡散回転体４２を回転させる。
【００２９】
このように床コンベア３と散布部４を駆動させると、チェーン３０に接する部分の堆肥７は後方に向けて強制的に搬送され、また、散布部４の近傍の堆肥７についても強制的に後方の圃場に向けて散布される。このとき、荷箱２に収容された堆肥７は、従来の方法であると、図７に示すように、チェーン３０に接する部分と散布部４に近い部分の堆肥７だけが先に少なくなり、特に、荷箱２の前方における堆肥７にブリッジ７０を形成してしまうが、本実施の形態では、荷箱２の左右の側壁を起立させるようにしているので、その起立側壁２１に沿って自重で堆肥７を落下させ、ブリッジ７０の形成を防止することができる。一方、荷箱２の後方部分については傾斜側壁２２が形成されているが、この部分については、前方から搬送されてくる堆肥７によって強制的に後方へと押し出され、また、散布部４によって後方へと散布させることができるようになる。
【００３０】
このように、上記実施の形態によれば、堆肥７を収容する荷箱２と、当該荷箱２に投入された堆肥７を後方へと搬送させる床コンベア３と、当該床コンベア３によって搬送された堆肥７を圃場に散布させる散布部４とを設けてなる堆肥散布機１において、前記荷箱２の前方部分における内側側壁を起立させた起立側壁２１と、前記荷箱２の後方部分における内側側壁を上方に向けて拡開させた傾斜側壁２２とを備え、起立側壁２１を後方側より前方をも大きくするとともに、傾斜側壁２２を前方部分より後方側を大きくするようにしたので、床コンベア３で強制的に後方に搬送させることができない前方上方部分の堆肥７を起立側壁２１に沿って落下させることができ、前方部分でのブリッジ７０の形成を防止して、床コンベア３ですべての堆肥７を後方へと搬送させることができるようになる。
【００３１】
また、前記荷箱２の前後方向にわたって起立する起立側壁２１を平行に設けるとともに、当該起立側壁２１の上端から上方に拡開する傾斜側壁２２を設けるようにしたので、荷箱２における起立側壁２１を前後方向に傾斜させるとともに、その上端部分から傾斜側壁２２を設けだけで、簡単に上述の形状を有する荷箱２を作ることができるようになる。
【００３２】
さらに、この荷箱２における中央よりも後方であって、傾斜側壁２２の両外側に走行輪５を配置させるようにしたので、傾斜側壁２２の下方に走行輪５を配置させることで、車幅を小さくすることができ、狭い農場での走行時における操作性を向上させることができるようになる。また、その走行輪５の上側に位置する傾斜側壁２２をタイヤカバーとして使用することができ、走行時における安全性も確保することができる。
【００３３】
なお、本発明は上記実施の形態に限定されることなく、種々の態様で実施することができる。
【００３４】
例えば、上記実施の形態では、起立側壁２１を床コンベア３から略鉛直に起立させるようにしたが、自重によって堆肥７を落下させることができるような角度であれば傾斜させるようにしておいてもよい。
【００３５】
また、上記実施の形態では、トラクターによって牽引される堆肥散布機１について説明したが、自走型の堆肥散布機１においても同様の構成を用いることもできる。この場合において、床コンベア３や散布部４については独自の駆動機構などを用いて駆動させるようにする。
【００３６】
さらに、上記実施の形態では、前方から後方に向けて徐々に傾斜側壁２２を大きくするようにしたが、例えば、前方から所定位置までを起立側壁２１だけで構成しておき、そこから後方までを傾斜側壁２２を有するように構成してもよい。このようにした場合であっても、前方部分については、起立側壁２１に沿って堆肥７を自重で落下させて床コンベア３で搬送させ、後方部分については、前方から搬送されてきた堆肥７によって後方に押し流し、散布部４で散布させることができるようになる。
【００３７】
また、上記実施の形態では、起立側壁２１を直線状に起立させ、また、傾斜側壁２２を直線状に傾斜させたが、これらの起立や傾斜については、円弧状に湾曲させておいてもよい。
【符号の説明】
【００３８】
１・・・堆肥散布機
２・・・荷箱
２１・・・起立側壁
２１ｕ・・・縁部
２２・・・傾斜側壁
２２ｕ・・・上縁部
３・・・床コンベア
３０・・・チェーン
３１・・・床板
３２・・・スプロケット
３３・・・コンベアバー
４・・・散布部
４１・・・回転軸
４２・・・拡散回転体
５・・・走行輪
６１・・・入力軸
６２・・伝導軸
６３・・・ギアボックス
７・・・堆肥
７０・・・ブリッジ
【図１】
2014082973.tif 000003
【図２】
2014082973.tif 000004
【図３】
2014082973.tif 000005
【図４】
2014082973.tif 000006
【図５】
2014082973.tif 000007
【図６】
2014082973.tif 000008
【図７】
2014082973.tif 000009